(57)【要約】  【課題】筐体の外観を適宜変更することができる転写具を提供する。  【解決手段】本発明に係る転写具Ａは、転写テープＴを収容し且つ修正剤ｓを転写対象物Ｐに転写すべく動作し得る機構部品２ａを内蔵する筐体３と、当該筐体３の内部の少なくとも一部を外方から露出させ得る露出部Ｘと、当該露出部Ｘを被覆し得る被覆シート１ａと、当該被覆シート１ａを着脱可能に支持し前記被覆シート１ａを装着し露出部Ｘを隠蔽する被覆状態（Ｃ）と前記被覆シート１ａを取り外して例えば部分露出シート１ｂを支持させた状態として露出部Ｘを露出させた被覆状態（Ｏ）とをとり得るシート支持部３３とを具備している。  【選択図】図４
2008080660.tif 000002
【特許請求の範囲】
【請求項１】
内部においてテープに転写物を設けた転写テープを収容し且つ転写物を転写対象物に転写すべく動作し得る機構部品を内蔵する筐体と、
当該筐体の内部の少なくとも一部を外方から露出させ得る露出部と、
当該露出部を被覆し得る被覆シートと、
当該被覆シートを着脱可能に支持し前記被覆シートを装着し露出部を隠蔽する被覆状態と前記被覆シートを取り外し前記露出部を露出させた露出状態とをとり得るシート支持部とを少なくとも具備していることを特徴とする転写具。
【請求項２】
前記露出部を、前記筐体に設けた透過穴と、前記筐体の内部に位置し記号等を表示し得る表示部とを有するものとしている請求項１記載の転写具。
【請求項３】
前記シート支持部に装着した際に前記透過穴を露出させ得る透過部を設け前記露出状態を構成し得る部分露出シートを更に有するものとしている請求項１又は２記載の転写具。
【請求項４】
前記表示部を、前記機構部品の動作に応じて動き得る動作表示部としている請求項２又は３記載の転写具。
【請求項５】
前記機構部品を、前記テープを巻回保持し且つ転写物の転写に応じて回転し得る巻回軸部を有するものとし、
前記動作表示部を、前記巻回軸部に取り付けた回転シートとしている請求項４記載の転写具。
【請求項６】
前記動作表示部を、前記記号等がそれぞれ異なる意味を示し得る複数の表示記号からなる選択記号であるものとし、
前記透過穴を前記選択記号を選択的に表示し得る位置に配置した選択窓としている請求項５記載の転写具。
【請求項７】
前記選択記号を、前記巻回軸部の軸芯周りに配置している請求項６記載の転写具。
【請求項８】
前記被覆シートを保護し得る保護板をさらに有するものとしている請求項１、２、３、４、５、６又は７記載の転写具。
【発明の詳細な説明】
【技術分野】
【０００１】
本発明は、紙などの転写対象物に好適に転写物を転写し得る転写具に関するものである。
【背景技術】
【０００２】
従来、修正テープに設けられた修正剤や粘着テープに設けられた粘着剤をテープ表面から紙などの転写対象物へと転写することによって、紙に記された文字等の上から修正剤を好適に転写したり、紙の任意の箇所に粘着剤を塗布して、粘着剤を塗布した箇所を別の紙等に好適に止着したりすることができる転写具が種々提案されている。
【０００３】
これら転写具の多くは筐体の内部に修正テープ或いは粘着テープといった転写テープを巻回して保持し、動作し得る機構部品を保持している。そしてこれらの転写具において、筐体の全部或いは一部を透明な素材を用いて構成しているものも多く開示されている（例えば、特許文献１参照）。斯かる構成により、筐体内に保持している転写テープの残量を確認するという実質的な効果を奏しているのみならず、機構部品自体を使用者に見せることによる意匠的効果を奏しているとも考えられる。
【特許文献１】特開２００１−１８５８８号公報
【発明の開示】
【発明が解決しようとする課題】
【０００４】
しかしながら、転写具を使用する使用者は、必ずしも機構部品を露出させている態様のものを要求しているとは限らず、例えば転写具とともに使用する他の文具やオフィス内の家具の色彩・色調などと調和をとり得る態様のものを望まれている場合も考えられる。
【０００５】
本発明は、このような不具合に着目したものであり、使用者の選択に応じて筐体の外観を適宜変更することができる転写具を提供する。
【課題を解決するための手段】
【０００６】
本発明は、このような目的を達成するために、次のような手段を講じたものである。すなわち、本発明に係る転写具は、内部においてテープに転写物を設けた転写テープを収容し且つ転写物を転写対象物に転写すべく動作し得る機構部品を内蔵する筐体と、当該筐体の内部の少なくとも一部を外方から露出させ得る露出部と、当該露出部を被覆し得る被覆シートと、当該被覆シートを着脱可能に支持し前記被覆シートを装着し露出部を隠蔽する被覆状態と前記被覆シートを取り外し前記露出部を露出させた露出状態とをとり得るシート支持部とを少なくとも具備していることを特徴とする。
【０００７】
このようなものであれば、被覆シートによって被覆する被覆状態と筐体の内部の少なくとも一部を露出する露出状態をとることによって、１台の転写具で複数の意匠を選択することが可能となる。そうすることにより、使用者は転写具以外の文具の色彩や使用者自身の好みに合わせた態様で転写具を使用することができる。
【０００８】
機構部品において所要の記号等を好適に表示させるためには、露出部を、筐体に設けた透過穴と、筐体の内部に位置し記号等を表示し得る表示部とを有するものとすればよい。ここで、記号等とは、文字や記号に限られず、さらにはイラストといったものをも含む概念である。
【０００９】
機構部品において、所要の箇所のみを好適に露出させ得る構成として、シート支持部に装着した際に透過穴を露出させ得る透過部を設け露出状態を構成し得る部分露出シートを更に有するものを挙げることができる。
【００１０】
そして、表示部を、前記機構部品の動作に応じて動き得る動作表示部とすれば、露出状態において機構部品の動作によって異なった状態で記号等を表示することが可能である。また機構部品の動作を好適に利用し得る構成として、機構部品が、テープを巻回保持し且つ転写物の転写に応じて回転し得る巻回軸部を有しており、動作表示部が、巻回軸部に取り付けた回転シートであるものを挙げることができる。ここで、機構部品の動作に応じる対応は上述の他にも、移動するテープ自身の動作を利用する態様、或いは巻回軸部の動作に応じて動作し得るギアやプーリの動作を利用する態様など、種々の動作を利用することができる。
【００１１】
とくに、上述した記号等を、それぞれ異なる意味を示し得る複数の表示記号からなる選択記号とするように動作表示部を構成し、透過穴がこれら選択記号を選択的に表示し得る位置に配置した選択窓であるものとすれば、選択記号を適宜設定して、それぞれ異なる複数の英数字や、おみくじに係る文字や天気予想に用いるマークや記号などを好適に表示することができる。特に巻回軸部の回転は、転写テープが巻出し或いは巻き取られていくために直径が変化することによりテープの移動距離と回転する角度は徐々に変化していくものとなっている。つまり使用者は、転写物の転写量からは、露出される表示記号を単純に予測できない。このような構成によって、本発明に係る転写具は、転写具本来の用途のみならず、転写具の使用毎に表示される表示記号を予想することや、結果として露出される表示記号の内容を楽しみにするという趣向性を、使用者に新たに提供することが可能となる。
【００１２】
巻回軸部の回動に応じて好適に選択記号を表示し得る構成として、選択記号を、巻回軸部の軸芯周りに配置したものを挙げることができる。
【００１３】
被覆シートを好適に保護し得る構成として、被覆シートを保護し得る保護板をさらに有するものを、挙げることができる。
【発明の効果】
【００１４】
本発明によれば、使用者は１台の転写具で複数の意匠を選択することが可能となる。その結果、使用者は転写具以外の文具の色彩や使用者自身の好みに合わせた態様で転写具を使用することが可能となる。
【発明を実施するための最良の形態】
【００１５】
以下、本発明の一実施の形態について図面を参照して説明する。
【００１６】
本実施形態に係る転写具Ａを図１及び図２に示す。この転写具Ａは、例えば紙などの転写対象物Ｐへ、テープｔの表面側に修正剤ｓを転写する、いわゆる修正テープＴを筐体３内に保持しているものである。
【００１７】
またこの転写具Ａは図２に示すように、筐体３の厚み方向に対して修正剤ｓが平行に引き出される、いわゆる横引き式のものとなっている。
【００１８】
ここで、本実施形態に係る転写具Ａは、内部においてテープｔに転写物たる修正剤ｓを設けた転写テープＴを収容し且つ修正剤ｓを紙などの転写対象物Ｐに転写すべく動作し得る機構部品２ａを内蔵する筐体３と、当該筐体３の内部の少なくとも一部を外方から露出させ得る露出部Ｘと、当該露出部Ｘを被覆し得る被覆シート１ａと、当該被覆シート１ａを着脱可能に支持し被覆シート１ａを装着し露出部Ｘを隠蔽する被覆状態（Ｃ）と被覆シート１ａを取り外し露出部Ｘを露出させた被覆状態（Ｏ）とをとり得るシート支持部３３とを少なくとも具備していることを特徴とするものである。また、本実施形態では、この被覆シート１ａと、後述する選択窓３４を露出させ得る透過部１０ｂを設けた後述する部分露出シート１ｂとを選択して取り付けることによって、被覆状態（Ｃ）と、被覆状態（Ｏ）とを適宜選択し得るものとしている。
【００１９】
以下、転写具Ａの構成について説明する。
【００２０】
転写具Ａは、図１、図２及び図３に示すように、転写具Ａ自体の外形をなしている筐体３と、筐体３に取り付けた転写ヘッド４と、筐体３に収容されている巻回軸部２を含む機構部品２ａとを主に有しているものである。
【００２１】
機構部品２ａは、巻回軸部２と、テープｔを転写ヘッド４へ案内するテープ案内機構とを有している。
【００２２】
巻回軸部２は、巻取軸部２１と、巻出軸部２４と、これら巻取軸部２１の回転と巻出軸部２４の回転とを連動させるためのベルト２７とを有しているものである。巻取軸部２１は、支持筐体３１に回転可能に支持された巻取コア２３と、巻取コア２３に取り付け且つベルト２７を掛け回した巻取プーリ２２とを有している。ここで、本実施形態では、これら巻取コア２３、巻取プーリ２２とともに回転する巻回した状態にあるテープｔをも含んで、軸芯周りに回転する部分全体を巻取軸部２１と称している。巻出軸部２４は、支持筐体３１に支持された巻出コア２６と、巻出コア２６に取り付けられ且つベルト２７を掛け回した巻出プーリ２５とを主に有している。ここで上述の巻取軸部２１と同じく、本実施形態ではこれら巻出コア２６及び巻出プーリ２５とともに回転する修正テープＴをも含んで、軸芯周りに回転する部分全体を巻出軸部２４と称している。そしてベルト２７は、具体的には巻出プーリ２５及び巻取プーリ２２に架け渡すことによって、巻出軸部２４の回転と、巻取軸部２１の回転とを連動させているものである。
【００２３】
なおテープ案内機構は、巻出軸部２４に巻回した修正テープＴを転写ヘッド４の位置にまで、略９０°旋回させながら案内するとともに、転写ヘッド４の位置において修正剤ｓを転写し終えたテープｔを巻取軸部２１へ案内するものである。当該テープ案内機構の具体的な構成については図示の構成に限定されることはなく、既存の種々の構成を採用することができる。
【００２４】
転写ヘッド４は、図１、図２及び図３に示すように、本実施形態では筐体３に支持され、巻出軸部２４からテープ案内機構を介して案内された修正テープＴを巻回軸部２に巻回された状態から略直角に旋回させた状態で保持しているものである。しかし転写ヘッド４の構成は図示のものに限定されることはなく、例えば修正テープＴを旋回させない状態で支持するものや、転写ヘッド４自体を旋回可能に設けて修正テープＴごと旋回させ得るもの、或いは非使用時に修正テープＴを被覆するカバーを有しているものとするなど、種々の構成のものを採用することができる。
【００２５】
筐体３は、半割構造をなす支持筐体３１と、カバー筐体３２とを有し、これら支持筐体３１とカバー筐体３２との間に転写ヘッド４を挟み込む構成としている。そして支持筐体３１側において巻回軸部２を支持したものとしている。
【００２６】
そしてカバー筐体３２は、特に図４に示すように、シート支持部３３と、保護板３７とを主に有するものとしている。
【００２７】
シート支持部３３は、図４に示すように、選択窓３４と、シート収容部３５と、保護板取付部３６とを有している。選択窓３４は、シート支持部３３の略中央の一部分において筐体３の内部を露出すべく穴状に形成したものである。そしてこの選択窓３４を介して、後述する回転シート２８の一部を、外部から視認可能なもの、言い換えれば露出したものとしている。シート収容部３５は、シート支持部３３の内側を所定寸法窪ませることによって、カバー筐体３と保護板３７との間に被覆シート１ａ並びに部分露出シート１ｂを収容し得る空間を形成したものである。なおシート収容部３５において、保護板３７を保護板取付部３６から取り外す際に手指を挿入し得るつまみ部３５ａを形成している。保護板取付部３６は、シート収容部３５の周縁部に位置付けて保護板３７を取り付けるものであり、後述する挿入部３７ａを挿入させ得る被挿入部３６ａを設けているとともに、他の部位の形状を後述する係止爪３７ｂを弾性係合させ得るように形成している。
【００２８】
保護板３７は、例えば透明の樹脂板からなるものであり、当該保護板３７の厚みを部分的に調節することによって若干の凸レンズ効果を得るように構成している。また保護板３７の具体的な構成として、一端側に設けた挿入部３７ａと、他端側に係止爪３７ｂとを形成したものとしている。ここでこの保護板３７の取り付けに関しては、保護板取付部３６側の被挿入部３６ａに挿入部３７ａを挿入し他端側の係止爪３７ｂを取付部へ弾性係合させることによって、保護板３７を保護板取付部３６へ取り付けている。斯かる保護板３７を採用することにより、被覆シート１ａ並びに部分露出シート１ｂをキズや汚れから好適に保護することができる。
【００２９】
しかして本実施形態に係る転写具Ａは、筐体３の内部の少なくとも一部を外方から露出させ得る露出部Ｘを設けたものとしている。
【００３０】
そして上述したシート支持部３３に、当該露出部Ｘを被覆し得る被覆シート１ａと、選択窓３４を露出させ得る透過部１０ｂを設けた部分露出シート１ｂとを選択して取り付けることによって、被覆状態（Ｃ）と、被覆状態（Ｏ）とを選択し得るものとしている。なお被覆状態（Ｃ）及び被覆状態（Ｏ）は上記の態様に限られるものではない。たとえば、シート収容部３５内に被覆シート１ａと部分露出シート１ｂとを重層して収容することによって被覆状態（Ｃ）を構成しても良く、他方シート収容部３５内になにも収容しない状態として被覆状態（Ｏ）を構成してもよい。
【００３１】
被覆シート１ａは、図１及び図２に示すように、シート収容部３５の略全面を被覆し得る例えば紙製のシートである。本実施形態では当該被覆シート１ａの外形のみの図示したものとしているが、例えば、被覆シート１ａの表面に所望の色彩や意匠を施してもよい。また、選択窓３４を被覆し得るものであれば、種々の形状に設定しても良い。
【００３２】
部分露出シート１ｂは、図３及び図４に示すように、シート収容部３５の略全面を被覆し得る外形を有しつつ、略中央部分、すなわち選択窓３４の位置に対応する部位に透過部１０ｂを設けたものとしている。本実施形態では当該部分露出シート１ｂの外形のみの図示したものとしているが、例えば、表面に所望の色彩や意匠を施してもよい。また、選択窓３４を露出し得るものであれば、その形状に置いても種々の形状に設定しても良い。
【００３３】
続いて露出部Ｘの具体的な構成について図３及び図４に示して詳述する。この露出部Ｘは、筐体３側の上述した選択窓３４と、巻出軸部２４の巻出プーリ２５に取り付けた回転シート２８とを有したものとしている。
【００３４】
選択窓３４は、上述の通り、図３及び４に示すように、シート支持部３３の略中央の一部分において筐体３の内部を露出すべく穴状に形成したものである。そしてこの選択窓３４を介して、後述する表示記号２９ａを択一的に露出したもの、言い換えれば外部から視認可能としている。
【００３５】
回転シート２８は、図４に示すように、筐体３の内部に位置し記号等たる選択記号２９を表示し得る、本発明に係る表示部としての機能を有しているものである。また回転シート２８は、機構部品２ａすなわち巻出軸部２４の巻出プーリ２５の動作に応じて動作し得る本発明に係る動作表示部としても機能している。そして回転シート２８には、具体的には「大吉」、「吉」といった「おみくじ」に関して、それぞれ異なる意味を示し得る複数の表示記号２９ａからなる選択記号２９を、印刷等により巻出軸部２４の軸芯周りに配置している。
【００３６】
続いて、被覆状態（Ｏ）とした転写具Ａを、実際に使用する態様について、図５に示して説明する。
【００３７】
同図に示すように、転写具Ａを通常と同様に使用することによって修正テープＴが巻出軸部２４から転写ヘッド４を介して巻取軸部２１へと移動する際に巻出軸部２４が回転することにより、回転シート２８に記された「おみくじ」に係る何れかの文字である選択記号２９のうち、何れかの表示記号２９ａを択一的に表示することとなる。なお、図示例では「おみくじ」において大きな幸運を意味する「大吉」並びに幸運を意味する「吉」を図示している。
【００３８】
ここで特に、テープｔの移動距離に対する巻出軸部２４の回転角度は、転写テープＴが巻き出されて直径が小さくなるに伴って徐々に変化していくものとなっている。つまり使用者は、修正剤ｓの転写量すなわち転写した距離からは、露出される表示記号２９ａが何かという事を単純に予測できないものとなっている。このような構成によって、本発明に係る転写具Ａは、転写具Ａ本来の用途のみならず、転写具Ａの使用毎に表示される表示記号２９ａを予想することや、結果として視認される表示記号２９ａの内容を楽しみにするという趣向性を、使用者に新たに提供し得たものとなっている。
【００３９】
以上のような構成とすることにより、被覆状態（Ｏ）と被覆状態（Ｃ）とをとり得るように構成しているので、使用者は、１台の転写具Ａで複数の意匠を選択し得るものとなっている。そうすることにより、転写具Ａ以外の文具の色彩や使用者自身の好みに合わせた態様で使用することができる転写具Ａとなっている。
【００４０】
また、部分露出シート１ｂによって、露出部Ｘを好適に露出させ得るものとなっている。斯かる露出部Ｘは、筐体３に設けた透過穴たる選択窓３４と、筐体３の内部にある表示部たる回転シート２８とによって、筐体３の内部を積極的に利用し得るものとなっている。そして、回転シート２８が、機構部品２ａの動作、具体的には巻出軸部２４の動作に応じて動き得る動作表示部として機能することにより、機構部品２ａの動作によって異なった表示をし得るものとなっている。
【００４１】
特に、上述した記号等たる選択記号２９を、それぞれ異なる意味を示し得る複数の表示記号２９ａからなる選択記号２９とするように動作表示部を構成し、透過穴たる選択窓３４がこれら選択記号２９を選択的に表示し得る位置に配置した選択窓３４としているので、本実施形態では巻出軸部２４の軸芯周りに配置した「おみくじ」に係る文字を択一的に表示し得るものとなっている。特に巻回軸部２の回転角度と修正剤ｓを転写する際の転写具Ａの移動距離とは一定ではなく、徐々に変化していくものとなっている。斯かる構成により使用者は、修正剤ｓの転写量からは、露出される表示記号２９ａを単純に予測できないものとなっている。このようにすることで、本発明に係る転写具Ａは、転写具Ａ本来の用途のみならず、転写具Ａの使用毎に表示される表示記号２９ａを予想することや、結果として露出される表示記号２９ａの内容を楽しみにするという趣向性を、使用者に新たに提供することを実現したものとなっている。
【００４２】
＜変形例＞
加えて、本実施形態の変形例を、図６及び図７を挙げて説明する。なお同変形例において上記実施形態に該当する構成のものについては同様の符合を付して詳細な説明は省略するものとする。
【００４３】
図６及び図７には、２つの表示窓３４、３４０を有している転写具Ａを示している。具体的に説明すると、斯かる転写具Ａは、図７に示すように、巻回軸部２における巻出軸部２４及び巻取軸部２１のにそれぞれ回転シート２８、２８０を設けている。そして、これら回転シート２８、２８０に記された複数の表示記号２９ａ、２９０ａである数字からなる選択記号２９、２９０を、それぞれ択一的に視認させ得る位置に透過窓３４、３４０、をそれぞれ配置したものである。また部分露出シート１ｃにおいても、透過窓３４、３４０の位置にそれぞれ対応し得る透過部１０ｃ、１１ｃを設けたものとしている。すなわち同変形例は露出部Ｘに加え、透過窓３４０及び回転シート２８０により、もうひとつの露出部である第二露出部Ｘ２を構成しているものである。
【００４４】
斯かる構成により、機構部品２ａにおける複数箇所の動作を有効に利用することによって好適に回転シート２８、２８０を回転動作させ得るものとなっている。このようにすることによって、使用者は両方の透過窓３４、３４０から露出表示される２つの表示記号２９ａ、２９０ａの数字の組み合わせを予想するか、例えば２つの数字が同じ数字となることを楽しみに転写具Ａを使用するという、上記実施形態とは、また異なった趣向性を付与し得るものとなっている。
【００４５】
以上、本発明の実施形態について説明したが、各部の具体的な構成は、上述した実施形態のみに限定されるものではなく、本発明の趣旨を逸脱しない範囲で種々変形が可能である。
【００４６】
例えば、上記実施形態ではシート支持部を一つのみ設けた態様としたが、複数のシート支持部及び露出部を設けた構成、例えば支持筐体側にも同様のシート支持部及び露出部を設けたものとしても良い。また、上記実施形態では表示部に設けた選択記号として数字や「おみくじ」に関するものを採用したが、選択記号としては他にも、天気を意味するマークや○×△といった他の記号、さらには「ホームラン」「三振」など、様々なものを採用することができる。
【００４７】
その他、各部の具体的構成についても上記実施形態に限られるものではなく、本発明の趣旨を逸脱しない範囲で種々変形が可能である。
【図面の簡単な説明】
【００４８】
【図１】本発明の一実施形態に係る外観図。
【図２】同実施形態に係る構成説明図。
【図３】同上。
【図４】同実施形態に係る要部説明図。
【図５】同実施形態に係る作用説明図。
【図６】同実施形態の変形例に係る構成説明図。
【図７】同実施形態に係る要部説明図。
【符号の説明】
【００４９】
１ａ…被覆シート
１ｂ、１ｃ…部分露出シート
１０ｂ、１０ｃ、１１ｃ…透過部
２ａ…機構部品
２…巻回軸部
３…筐体
３３…シート支持部
３７…保護板
３４、３４０…透過穴、選択窓（選択窓）
２８、２８０…表示部、動作表示部、回転シート（回転シート）
２９、２９０…記号等、選択記号（選択記号）
２９ａ、２９０ａ…表示記号
Ａ…転写具
Ｃ…被覆状態
Ｏ…露出状態
Ｐ…転写対象物
ｓ…転写物（修正剤）
Ｔ…転写テープ（修正テープ）
ｔ…テープ
Ｘ…露出部
Ｘ２…露出部（第二露出部）
【図１】
2008080660.tif 000003
【図２】
2008080660.tif 000004
【図３】
2008080660.tif 000005
【図４】
2008080660.tif 000006
【図５】
2008080660.tif 000007
【図６】
2008080660.tif 000008
【図７】
2008080660.tif 000009